(57)【要約】【課題】水中で撮影可能なレンズ交換式のカメラシステムにおいて、潜水可能な水深が異なる様々な交換レンズとカメラ本体の組み合わせにおいても、使用者が潜水可能な水深を簡単に認識できるカメラシステムを提供すること。【解決手段】水中で撮影可能な交換レンズとカメラ本体からなるカメラシステムにおいて、交換レンズは交換レンズが潜水可能な水深を記憶するレンズ記憶手段を備え、カメラ本体はカメラ本体が潜水可能な水深を記憶するカメラ記憶手段と、前記交換レンズの固有情報を通信して取得する通信手段と、カメラ本体が潜水可能な水深と交換レンズが潜水可能な水深を基にカメラシステムの潜水可能な水深として設定する手段と、カメラシステムの潜水可能な水深を表示する表示手段を備えることを特徴とする。【選択図】図１
2017026772.tif 000002
【特許請求の範囲】
【請求項１】
水中で撮影可能な交換レンズとカメラ本体からなるカメラシステムであって、
前記交換レンズは前記交換レンズが潜水可能な水深を記憶するレンズ記憶手段を備え、
前記カメラ本体はカメラ本体が潜水可能な水深を記憶するカメラ記憶手段と、前記交換レンズの固有情報を通信して取得する通信手段と、前記カメラ本体が潜水可能な水深と前記交換レンズが潜水可能な水深を基に前記カメラシステムの潜水可能な水深として設定する手段と、前記カメラシステムの潜水可能な水深を表示する表示手段を備えることを特徴とするカメラシステム。
【請求項２】
前記カメラ本体はさらに水圧測定手段と、前記水圧測定手段から水深を算出する水深算出手段を備え、前記カメラシステムの潜水可能な水深と前記水深算出手段から得た水深との差が所定値以下になると前記表示部に警告を表示することを特徴とする請求項１に記載のカメラシステム。
【発明の詳細な説明】
【技術分野】
【０００１】
本発明は、レンズ交換式のカメラシステムに関し、特に水中で撮影可能なカメラシステムに関する。
【背景技術】
【０００２】
近年、水中で撮影可能なレンズ交換式のカメラシステムが提案されている（特許文献１）。水中で撮影可能なカメラ本体、および、カメラ本体に装着可能な交換レンズは仕様書に防水性能を潜水可能な水深として記載し、その水深における水圧に耐えるように設計されている。したがって、使用者は仕様書に記載された交換レンズとカメラ本体の潜水可能な水深をそれぞれ記憶し、越えないように注意しながら潜水する必要があった。
【０００３】
そこで、カメラ本体に水圧を測定する水圧計を設けてカメラ本体の水深を測定し、水深が所定許容値を超えると警告を発生するカメラが提案されている（特許文献２）。これにより使用者はカメラ本体の潜水可能な水深を記憶し、注意を払う必要がなくなった。
【先行技術文献】
【特許文献】
【０００４】
【特許文献１】特開２００６−２５１２２５号公報
【特許文献２】特開平４−２５３４７９号公報
【発明の概要】
【発明が解決しようとする課題】
【０００５】
ところで、レンズ交換式のカメラシステムにおいて、装着される交換レンズとカメラ本体の組み合わせは多岐にわたる。したがって、水中で撮影可能なカメラシステムの潜水可能な水深は、交換レンズとカメラ本体の組み合わせによって様々に変化する。
【０００６】
上述した特許文献２において、使用者はカメラ本体の潜水可能な水深に注意を払わなくてもカメラ本体が教えてくれるが、上記のように潜水可能な水深が交換レンズとカメラ本体の組み合わせよって変化する場合、使用者は別途交換レンズの潜水可能な水深を記憶し、注意を払わなければならない。
【０００７】
そこで、本発明は、水中で撮影可能なレンズ交換式のカメラシステムにおいて、潜水可能な水深が異なる様々な交換レンズとカメラ本体の組み合わせにおいても、使用者が潜水可能な水深を簡単に認識できるカメラシステムを提供することを目的とする。
【課題を解決するための手段】
【０００８】
上記の目的を達成するために、本発明に係るカメラシステムは、
水中で撮影可能な交換レンズとカメラ本体からなるカメラシステムにおいて、前記交換レンズは前記交換レンズが潜水可能な水深を記憶するレンズ記憶手段を備え、前記カメラ本体はカメラ本体が潜水可能な水深を記憶するカメラ記憶手段と、前記交換レンズの固有情報を通信して取得する通信手段と、前記カメラ本体が潜水可能な水深と前記交換レンズが潜水可能な水深を基に前記カメラシステムの潜水可能な水深として設定する手段と、前記カメラシステムの潜水可能な水深を表示する表示手段を備えることを特徴とする。
【発明の効果】
【０００９】
本発明によれば、水中で撮影可能なレンズ交換式のカメラシステムにおいて、潜水可能な水深が異なる様々な交換レンズとカメラ本体の組み合わせにおいても、使用者が潜水可能な水深を簡単に認識できるカメラシステムを提供することができる。
【図面の簡単な説明】
【００１０】
【図１】本発明におけるカメラシステムの概略ブロック図
【図２】本発明における潜水可能な水深を設定するフローチャート
【図３】本発明における交換レンズとカメラ本体の組合せの一例
【図４】本発明の第１実施形態における表示部に表示される情報
【図５】本発明の第２実施形態における表示部に表示される情報
【発明を実施するための形態】
【００１１】
以下、本発明を実施するための形態を図面に基づいて説明する。
【実施例１】
【００１２】
以下に、本発明の第１実施形態を、図面に基づいて説明する。なお、後述する第２実施形態において、以下に説明する第１実施形態での構成部材と同じ構成部材および同様な機能を有する構成部材には同一符号を付し、説明を簡単にあるいは省略する。
【００１３】
図１は本発明の実施形態にかかわるカメラシステムの概略ブロック図である。
【００１４】
カメラシステム１はカメラ本体２と交換レンズ３からなり、交換レンズ３はレンズマウント４を介してカメラ本体に設けられたカメラマウント５に着脱可能になっている。
【００１５】
カメラ本体２および交換レンズ３は、それぞれカメラ本体２に交換レンズ３が取り付けられた際に相互に通信を行うためのカメラ本体側通信端子６とレンズ側通信端子７を備える。カメラ本体２と交換レンズ３は、カメラ本体側通信端子６とレンズ側通信端子７を介して、それぞれの動作状態、設定状態、各種情報の要求命令（送信要求）および駆動命令等の情報をやり取りする。さらに、交換レンズ３は、カメラ本体側通信端子６とレンズ側通信端子７を介してカメラ本体３から電力供給を受ける。
【００１６】
カメラ本体２は交換レンズ３を介して入射した被写体像を撮像するための撮像素子８とカメラ本体内の構成要素を制御する制御手段としてのカメラＭＰＵ（Ｍｉｃｒｏ−Ｐｒｏｃｅｓｓｉｎｇ  Ｕｎｉｔ）９を備える。
【００１７】
カメラＭＰＵ９はカメラ本体２の後述するカメラ水深規格値１４と交換レンズ３のレンズ水深規格値２０を比較して、レンズ水深規格値２０よりもカメラ水深規格値１４が小さいかどうかを判定する許容水深判定部１０を備える。
【００１８】
カメラ本体２は撮像素子８から画像信号を受信し画像に変換する画像処理部１１と、画像処理部１１で生成された被写体画像や使用者が潜水している際の水深の情報、および、後述する警告表示を表示するための表示部１２を備える。カメラ本体２はカメラ本体２の様々な情報を記憶するためのカメラ記憶部１３を備えており、カメラ本体２が構造上耐えることができる潜水可能な水深であるカメラ水深規格値１４を記憶している。カメラ本体は水圧を測定するための水圧計１５を備えており、水圧計１５の信号は水圧から水深を算出する水深算出部１６に送信される。
【００１９】
水深算出部で算出された水深の情報は、表示部１２に表示され使用者は潜水している間、自分がどの深さまで潜水しているかを随時確認することができる。なお、カメラ本体２は電源や露光時間を制限するためのシャッター機構、使用者からの操作を受け付けるユーザーインターフェースである操作部材など様々な構成要素を備えるが説明の簡単化のため省略する。
【００２０】
交換レンズ３は光学系１７と交換レンズ３内の構成要素を制御する制御手段としてのレンズＭＰＵ（Ｍｉｃｒｏ−Ｐｒｏｃｅｓｓｉｎｇ  Ｕｎｉｔ）１８と交換レンズ３の様々な情報を記憶するためのレンズ記憶部１９を備える。レンズ記憶部１９は交換レンズ３の構造上耐えることができる潜水可能な水深であるレンズ水深規格値２０を記憶している。
【００２１】
なお、光学系１７には光量を調整する絞り、焦点調節を行うフォーカスレンズ群、倍率を変化させるズームレンズ群などの光学系を成す構成要素を備え、交換レンズはそれらを駆動するためのモータや制御部など様々な構成要素を備えるが説明の簡単化のため省略する。
【００２２】
次に図２を用いて、交換レンズをカメラ本体に装着した際に潜水可能な水深を設定するフローについて説明する。
【００２３】
ステップＳ１で使用者が交換レンズ３をカメラ本体２に装着し電源をＯＮにする。
【００２４】
次にステップＳ２で交換レンズ３とカメラ本体２はそれぞれカメラ本体側通信端子６、レンズ側通信端子７を介して通信を開始する。
【００２５】
次にステップＳ３でレンズ記憶部１９に記憶されているレンズ水深規格値２０をカメラＭＰＵ９に送信し、カメラＭＰＵ９はこれを受信する。
【００２６】
次にステップ４において、カメラ記憶部１３に記憶しているカメラ水深規格値１４を読み出して、ステップＳ３で受信したレンズ水深規格値２０と比較する。この時、レンズ水深規格値２０がカメラ水深規格値１４よりも小さいかどうかを判定する。レンズ水深規格値２０がカメラ水深規格値１４よりも小さいと判定した場合は、ステップ５に進みレンズ水深規格値２０を潜水可能な水深として設定する。その後、ステップ７に進み、カメラ本体２の表示部１２にレンズ水深規格値２０の値を潜水可能な水深として表示し、処理を終了する。ステップ４でレンズ水深規格値２０がカメラ水深規格値１４よりも小さくないと判定した場合は、ステップ６に進みカメラ水深規格値１４を潜水可能な水深として設定する。その後、ステップ７に進み、カメラ本体２の表示部１２にカメラ水深規格値１４の値を潜水可能な水深として表示し、処理を終了する。
【００２７】
例えば図３のようにレンズ水深規格値２０が１０ｍの交換レンズ３とカメラ水深規格値１４が１２ｍのカメラ本体２を組み合わせたカメラシステム１として使用する場合、図２のフローに従って潜水可能な水深を設定すると、ステップＳ４の判定部においてレンズ水深規格値２０の方がカメラ水深規格値１４よりも小さいと判定する。したがって、交換レンズ３のレンズ水深規格値２０の１０ｍという値が交換レンズ３とカメラ本体２を組み合わせたカメラシステム１の潜水可能な水深として設定され、カメラ本体２の表示部１２に表示される。
【００２８】
図４に図３の交換レンズ３とカメラ本体２を組み合わせたカメラシステム１における表示部１２の表示内容について説明する。
【００２９】
上述したように図２の潜水可能な水深を設定するフローにおいて、交換レンズ３とカメラ本体２を組み合わせたカメラシステム１の潜水可能な水深は１０ｍである。図４に示すように、カメラ本体２の表示部１２において、潜水可能な水深表示部２１に１０ｍと表示する。なお、表示部１２には現在の水深表示部２２を表示することが望ましい。現在の水深表示部２２はカメラ本体２の水圧計１５で計測された水圧をもとに水深算出部１６において公知の技術によって算出された水深の値を表示する。
【００３０】
以上説明したように、本発明によれば使用者は潜水可能な水深がそれぞれ異なる交換レンズとカメラ本体を組み合わせて使用する際に、それぞれの潜水可能な水深を使用者自身が記憶し、注意を払う必要が無くなる。
【実施例２】
【００３１】
次に第二の実施形態の表示部１２を図５に示す。
【００３２】
図５に示すようにカメラ本体２の現在の水深が潜水可能な水深の差が所定値（ここでは１ｍ）以下になると、警告表示部２３に潜水可能な水深に接近した旨を使用者に伝える警告表示が表示される。
【００３３】
以上説明したように本発明によれば、使用者が潜水可能な水深に接近したことをより認識しやすくなる。
【００３４】
以上、本発明の好ましい実施形態について説明したが、本発明はこれらの実施形態に限定されず、その要旨の範囲内で種々の変形及び変更が可能である。
【００３５】
本発明は、水中で撮影可能な交換レンズと交換レンズを装着可能なカメラ本体からなるカメラシステムに適用できる。
【符号の説明】
【００３６】
１  カメラシステム、２  カメラ本体、３  交換レンズ、４  レンズマウント、
５  カメラマウント、６  カメラ本体側通信端子、７  レンズ側通信端子、
８  撮像素子、９  カメラＭＰＵ、１０  許容水深判定部、１１  画像処理部、
１２  表示部、１３  カメラ記憶部、１４  カメラ水深規格値、１５  水圧計、
１６  水深算出部、１７  光学系、１８  レンズＭＰＵ、１９  レンズ記憶部、
２０  レンズ水深規格値、２１  潜水可能な水深表示部、２２  現在の水深表示部、
２３  警告表示部
【図１】
2017026772.tif 000003
【図２】
2017026772.tif 000004
【図３】
2017026772.tif 000005
【図４】
2017026772.tif 000006
【図５】
2017026772.tif 000007